(57)【特許請求の範囲】
【請求項１】
遊技機の遊技盤前面に配設され、中空部を有する略円盤形状であって外周部に径方向に突出した複数の羽根を有すると共に、少なくとも一部において前記中空部内を視認できるようにした風車本体と、
前記中空部内に収容された小装飾部材と、
前記中空内部の内面外周から前記羽根と同一径方向で且つ前記羽根と一体に形成されるとともに前記風車本体の回転軸に向かって放射状に突出した突出部と、を有し、
前記風車本体が前記遊技盤前面に略垂直に取り付けた支持軸に同軸的かつ回転可能に支持されたことを特徴とする遊技機用風車。
【発明の詳細な説明】
【０００１】
【発明の属する技術分野】
本発明は、パチンコ機等の遊技機の遊技盤面に取り付けられる遊技機用風車に係り、特にその改良に関する。
【０００２】
【従来の技術及び発明が解決しようとする課題】
従来、この種の遊技機用風車としては、風車本体を樹脂成形により形成し、その形状及び色彩による装飾性及び回転時のデザイン変化による視覚的な効果が発揮されるタイプの風車が知られている。また、この風車は、背面にランプを設けることにより、形状及び色彩に加えて、ランプの点滅により視覚的な効果をさらに高めるようにされている。
【０００３】
【発明が解決しようとする課題】
しかし、上記遊技機用風車は、風車本体が一定形状に固定化されたものであり、それ自体は動的な変化ができないものである。かかる風車形態の固定化により、風車が遊技者に与える視覚的なおもしろ味に欠けるという問題があった。本発明は、上記した問題を解決しようとするもので、風車本体自体の変化が可能な遊技機用風車を提供することを目的とする。
【０００４】
【課題を解決するための手段及び発明の効果】
上記目的を達成するために上記請求項１に係る発明の構成上の特徴は、遊技機の遊技盤前面に配設され、中空部を有する略円盤形状であって外周部に径方向に突出した複数の羽根を有すると共に、少なくとも一部において前記中空部内を視認できるようにした風車本体と、前記中空部内に収容された小装飾部材と、前記中空内部の内面外周から前記羽根と同一径方向で且つ前記羽根と一体に形成されるとともに前記風車本体の回転軸に向かって放射状に突出した突出部と、を有し、前記風車本体が前記遊技盤前面に略垂直に取り付けた支持軸に同軸的かつ回転可能に支持されたことにある。中空部内を視認可能とする風車本体の態様は、壁面を透明にしたり、半透明にしたり、壁面に小装飾部材より小さい複数の孔を形成したり、またはこれらを組合せることにより得られる。
【０００５】
上記のように請求項１に係る発明を構成したことにより、遊技盤面を落下する遊技球が風車に当たると、風車本体が支持軸を中心にして回転するが、風車本体の回転に伴い、風車本体内に収容された小装飾部材が風車本体とは異なった変化に富んだ運動を開始し、この運動が外部から視認される。この小装飾部材による新たな動きのため、風車の回転に視覚的な面白さが付加され、風車の装飾的効果が高められる。また、小装飾部材の形状、大きさ、等を変化させることにより、風車の視覚的な面白さを変化させることができ、風車の装飾効果を多様にすることができる。また、小装飾部材の風車本体とは異なった運動により、風車本体の回転に不規則さが加えられ、視覚的な面白さと共に、風車に当たった遊技球の移動方向にも不規則さが与えられる。
【０００６】
【０００７】
【０００８】
【０００９】
【発明の実施の形態】
以下、本発明の一実施の形態を図面を用いて説明すると、図１は同実施形態を適用したパチンコ遊技機の本体１０を正面図により示したものである。本体１０は、正面の上側の枠部１０ａに遊技盤１１を支持しており、枠部１０ａの左内側に開閉自在に支持したガラス扉１０ｂにより遊技盤１１の前側を閉鎖している。遊技盤１１の周囲には、円弧状の通過レール１２ａと仕切りレール１２ｂが同心円状に設けられている。そして、通過レール１２ａと仕切りレール１２ｂに仕切られて、遊技盤１１の中央には遊技領域１１ａが設けられている。遊技領域１１ａの中央には、図柄表示装置１３が設けられている。図柄表示装置１３の上部、左右両側及び左右下側には入賞口１４ａ〜１４ｅが設けられている。また、図柄表示装置１３の直下には中央下第１種始動口１５ａが、その下には大入賞口１５ｂが、大入賞口１５ｂの左右には一対の第１種始動口１５ｃが設けられている。大入賞口１５ｂの直下は、はずれ球を回収するアウト口１６になっている。左入賞口１４ｂの左側には左電飾ランプ１７ａが、右入賞口１４ｃの右側には右電飾ランプ１７ｂが設けられている。そして、上部入賞口１４ａの左右両側には、図２に詳細に示すように、ランプ付風車２０ａ，２０ｂが設けられており、また左右入賞口１４ｂ，１４ｃの左右に各一対の平円板型風車３０ａ，３０ｂが設けられている。遊技盤面には、その他、多数の障害釘が設けられている。
【００１０】
ランプ付風車２０（２０ａ、２０ｂは同一であり、添え字ａ，ｂを省略する）は、図２及び図３に示すように、遊技盤１１の前面に取り付けられる風車取付台２１を有している。風車取付台２１は、横長の略長円形状の樹脂製の薄板であり、中央に支持軸２４が挿通される中心孔２１ａを設けており、中心孔２１ａを挟んだ両横にランプ２５ｃが挿通される一対のランプ孔２１ｂを設けている。風車取付台２１の背面側の中心孔２１ａ位置には、円筒形の支持筒部２１ｃが立設されている。また、風車取付台２１の背面側のランプ孔２１ｂとの直交位置には、後述するランプ基板２５を支持する棒状の一対の支持部２１ｄ，２１ｅを設けている。支持部２１ｄは、図４（ｃ）に示すように、先端に係合突起２１ｄ1 を設けており、支持部２１ｅは、軸心位置にねじ溝２１ｅ1 を設けている。風車取付台２１の前方には、風車本体２２が設けられる。
【００１１】
風車本体２２は、透明な樹脂製であり、図４に示すように、内部に中空部２２ａを有する略円盤体である。風車本体２２は、図３に示すように、軸方向に２分割された略対称形状の本体部品２２Ａ，２２Ｂを重ね合わせることにより得られる。風車本体２２は、図３に示すように、軸心位置に支持軸２４が挿通される貫通孔２２ｂ1 を有する中心筒部２２ｂを設けている。中心筒部２２ｂは、図４（ｂ）に示すように、前端が風車本体２２の前面側の凹部２２ｂ2 につなげられており、後端が風車本体２２の背面側からわずかに突出した凸部２２ｂ3 になっている。中心筒部２２ｂを挟んだ中空部２２ａ両端には、一対の周辺筒部２２ｃが設けられている。周辺筒部２２ｃは、図４（ｃ）に示すように、風車本体２２の前面側では、前後方向中間位置まで延び、背面側には貫通する取付孔２２ｃ1 を設けている。
【００１２】
また、風車本体２２の周壁には、径方向に突出した板状の複数（本例では８個）の羽根部２２ｄが等間隔で形成されている。風車本体２２の軸方向中間位置の外周部には、波形状のフランジ部２２ｅが設けられている。フランジ部２２ｅは、各羽根部２２ｄ位置が波高位置であり、各羽根部２２ｄ間が波底位置になっている。風車本体２２は、図３に示すように、フランジ部２２ｄを中心として本体部品２２Ａ，２２Ｂを重ね合わせ、背面側から周辺筒部２２ｃの取付孔２２ｃ1にネジ２２ｆを螺着して、両本体部品２２Ａ，２２Ｂを一体で固定することにより得られる。そして、風車本体２２の中空部２２ａには、複数の小球からなる小装飾部材２３が収容されている。小球はプラスチック等の軽量な材料で形成されている。
【００１３】
風車取付台２１後方には、ランプ基板２５が設けられる。ランプ基板２５は、プリント基板である円板２５ａを設けており、中央に上記支持軸２４の径より大きな径の中心孔２５ａ1 を設けており、中心孔２５ａ1 を挟んだ両横に一対のランプソケット２５ｂが立設されている。ランプソケット２５ｂにはランプ２５ｃが装着されている。円板２５ａのランプソケット２５ｂとの直交位置には、図４（ｃ）に示すように、一対の取付孔２５ｄ，２５ｅが貫通して設けられている。
【００１４】
つぎに、ランプ付風車２０の組立について説明する。まず、支持軸２４を風車本体２２の貫通孔２２ｂ1 に挿通し、さらに風車取付台２１の中心孔２１ａに挿通する。つぎに、風車取付台２１の背面側から突出した支持筒部２１ｃをランプ基板２５の中心孔２５ａ1 に挿入し、風車取付台２１のランプ孔２１ｂにランプ２５ｃを挿入する。同時に、風車取付台２１の支持部２１ｄ，２１ｅをランプ基板２５の取付孔２５ｄ，２５ｅに位置合わせし、取付孔２５ｄに支持部２１ｄの係合突起２１ｄ1 を嵌め合わせ、取付孔２５ｅにてねじ２５ｅ1 により支持部２１ｅを止めることにより、風車取付台２１にランプ基板２５を取り付ける。
【００１５】
ここで、支持軸２４は、先端の頭部２４ａが風車本体２２の前面側の凹部２２ｂ2 に係合し、かつ後端には止め具２５ｆが取り付けられる。そのため、風車本体２２と風車取付台２１が、支持軸２４により互いに分離しないように前後に配置される。このように組み立てられたランプ付風車２０は、遊技盤１１に設けた取付孔（図示しない）に風車取付台２１を位置合わせし、風車取付台２１の左右両端に設けた一対の取付孔２１ｆを用いてボルト（図示しない）止めすることにより、遊技盤１１面に取り付けられる。
【００１６】
以上のように構成したランプ付風車２０においては、遊技盤面を落下する遊技球が風車に当たると、風車本体２２が支持軸２４を中心にして回転し、遊技球の運動に変化を与える。この風車本体２２の回転に伴い、風車本体２２内に収容された小装飾部材２３が風車本体２２とは異なった変化に富んだ運動を開始し、この運動が外部から視認される。このような小装飾部材２３による新たな動きのため、ランプ付風車２０の回転に視覚的な面白さが付加され、風車の装飾的効果が高められる。
【００１７】
その際、中空部２２ａに収容される小装飾部材２３の形状、大きさ、等を変化させることにより、ランプ付風車２０の視覚的な態様を多様に変化させることができる。また、小装飾部材の風車本体２２とは異なった運動により、風車本体２２の回転に不規則さが加えられ、視覚的な面白さが増すと共に、風車に当たった遊技球の移動方向にも不規則さが与えられ、遊技の意外性が高められる。さらに、上記風車本体２２は、ネジ２２ｆを外すことにより、両本体部品２２Ａ，２２Ｂに分解できるので、小装飾部材２３を交換することができる。これにより、同一外形の風車本体２２でも簡単に異なった視覚的効果を得ることができ、遊技盤面に斬新さを与えることができる。ただし、両本体部品２２Ａ，２２Ｂを接着剤等により分離不能に固着することもできる。これにより、中空部２２ａに周辺筒部を設ける必要がなくなり、中空部が広げられるので、小装飾部材２３の運動を促進させることができる。
【００１８】
なお、上記実施形態においては、風車本体２２は、透明材料により形成されているが、着色されかつ中空部２２ａを視認できる半透明な材料を用いることもできる。また、これら透明及び半透明な材料の組合せあるいは一部に不透明部分を設けるような種々の組合せを採用することもできる。さらに、風車本体２２の壁面に、小装飾部材２３より小さい複数の小孔を設けることにより、内部空間を視認できるようにすることもできる。この小孔と上記透明または半透明部分との組合せも可能である。また、上記実施形態の風車本体２２の中空部２２ａに、径方向に放射状にあるいは同心円状に仕切りを設けることもできる。これにより、小装飾部材２３の種類や運動に変化を持たせることができる。
【００１９】
また、上記実施形態においては、小装飾部材２３として小球が用いられているが、その他、種々の立体形状や多角形の板等を用いてもよく、また色彩も有彩色無彩色の他、金銀色等の金属色を用いることもできる。さらに、小装飾部材２３として、鈴のように音を発生するものを用いることもできる。これにより、小装飾部材２３として、視覚的効果の他に音響的効果を得ることもできる。
【００２０】
さらに、上記実施形態において、本発明をランプ付風車に適用した場合について説明しているが、同様にランプなしの風車に対しても本発明を適用することができる。なお、上記実施形態においては、本発明の風車を第１種パチンコ遊技機に適用した場合について説明しているが、他のパチンコ遊技機やアレンジ遊技機に用いる風車に対しても同様に適用することができる。
【図面の簡単な説明】
【図１】本発明の一実施形態を適用したパチンコ遊技機を概略的に示す正面図である。
【図２】ランプ付風車を概略的に示す斜視図である。
【図３】ランプ付風車を概略的に示す分解斜視図である。
【図４】ランプ付風車を概略的に示す正面図、側面図、及びIV−IV線方向の断面図である。
【符号の説明】
１０…本体、１１…遊技盤、１１ａ…遊技領域、２０ａ，２０ｂ…ランプ付風車、２１…風車取付台、２１ａ…中心孔、２１ｂ…ランプ孔、２１ｃ…支持筒部、２１ｄ，２１ｅ…支持部、２１ｄ1 …係合突起、２１ｅ1 …ねじ溝、２１ｆ…取付孔、２２…風車本体、２２Ａ，２２Ｂ…本体部品、２２ａ…中空部、２２ｂ…中心筒部、２２ｂ1 …貫通孔、２２ｂ2 …凹部、２２ｂ3 …凸部、２２ｃ…周辺筒部、２２ｃ1 …取付孔、２２ｄ…羽根部、２２ｅ…フランジ部、２２ｆ…ネジ、２３…小装飾部材、２４…支持軸、２５…ランプ基板、２５ａ…円板、２５ａ1 …中心孔、２５ｂ…ランプソケット、２５ｃ…ランプ、２５ｄ，２５ｅ…取付孔、２５ｅ1 …ねじ、２５ｆ…止め具、３０ａ，３０ｂ…平円板型風車。
【図１】
0003994172.tif 000002
【図２】
0003994172.tif 000003
【図３】
0003994172.tif 000004
【図４】
0003994172.tif 000005